(57)【要約】  ２つの基本分割体（１１、１２）により形成された中空部（３０）の開口縁部（３００）に対して交差する方向から中空部側分割体（３１）が連結されることで組立て式連結体（１０）が組み立てられることとした。これにより、中空部（３０）を形成している基本分割体（１１、１２）が互いに分離する向きに力（ｆ１）が加わっても、中空部（３０）を形成している基本分割体（１１、１２）の分離が抑制される。また中空部（３０）の開口縁部（３００）から中空部側分割体（３１）を分離させる向きに力（ｆ２）が加わっても、基本分割体（１１、１２）がごくわずかではあるが互いに分離する向きに動きだして中空部（３０）の開口縁部（３００）と中空部側分割体（３１）との連結部分の嵌合を強めるので、中空部（３０）の開口縁部（３００）に連結されている中間側分割体（３１）の分離が抑制される。
2010073764.tif 000002
【特許請求の範囲】
【請求項１】
複数の分割体が互いに連結されることにより組み立てられる組立て式連結体において、
隣接する分割体のうち何れか一方に形成される凸部と、他方に形成され、前記凸部に嵌合する凹部とにより互いに分離自在に連結される複数の基本分割体と、
前記複数の基本分割体が連結されたときに形成される中空部に連結される中空部側分割体と、を備え、
前記中空部側分割体は、前記基本分割体が連結されたときに中空部側に形成される開口縁部に当接した状態で嵌合により連結されることを特徴とする組立て式連結体。
【請求項２】
前記中空部側分割体と前記開口縁部は、何れか一方に形成される凸部と、他方に形成され、前記凸部に嵌合する凹部とにより互いに分離自在に連結されることを特徴とする請求項１に記載の組立て式連結体。
【請求項３】
前記中空部側分割体は、前記開口縁部に連結された状態では前記中空部を閉塞することを特徴とする請求項２に記載の組立て式連結体。
【請求項４】
前記中空部側分割体は、前記開口縁部に連結された状態では前記中空部を開放することを特徴とする請求項２に記載の組立て式連結体。
【請求項５】
前記中空部側分割体は、折曲自在な継ぎ手部によって隣接する中空部側分割体の中空部側分割体に連結されることを特徴とする請求項４に記載の組立て式連結体。
【発明の詳細な説明】
【技術分野】
【０００１】
本発明は組立て式連結体に関し、詳しくは、複数の分割体が互いに連結されることで組み立てられる組立て式連結体に関する。
【背景技術】
【０００２】
従来、複数の分割体が相互に連結されることにより組み立てられる組立て式連結体の１つとして玩具を包装（収容）する球体状の中空プラスチック容器が知られている。このような中空プラスチック容器は、一対の分割体（半球状の半割体のこと）を有し、２つの分割体の開口縁同士が連結されることで球状に組み立てられる。
ところで、ただ単に２つの分割体の開口縁同士が連結されるだけでは、移送中に揺すられたりして容器内外に力が加わった際に、連結状態にある２つの分割体が分離して容器内から収容物が排出する虞がある。【０００３】
そこで、連結状態にある２つの分割体の分離を抑制するために、例えば特許文献１には、２つの分割体のそれぞれの開口縁に凸部もしくはこの凸部に嵌合する凹部を形成することが提案されている。
また特許文献２には、２つの分割体のそれぞれの開口縁に凸部もしくはこの凸部に嵌合する凹部を形成したうえで、凸部が凹部に押し込まれた際に自動的に係止状態となり、手指を押し込んで抜いたときに外れる係合爪を凸部に設けることが提案されている。
【先行技術文献】
【特許文献】
【０００４】
【特許文献１】特開平０７−１４８３５８号公報（請求項６、段落００１２）
【特許文献２】特開平０８−１８５５６４号公報（請求項１、段落０００６）
【発明の概要】
【発明が解決しようとする課題】
【０００５】
しかしながら、分割体の開口縁に凸部もしくはこれに嵌合する凹部を設ける前者の方法では、連結状態にある２つの分割体は、２つの分割体を分離させる方向に力が加わると接続部分に緩みが生じ、連結状態を維持するのは難しい。従って、この方法では連結状態にある２つの分割体の分離を抑制するには不十分である。【０００６】
また、凸部に係合爪を設ける後者の方法では、２つの分割体を分離させる際には手指を使って凹部から係合爪を外さなくてはならない。すなわち、凸部（つまり係合爪）の数が１つもしくは２つですむ容器、例えば、玩具を入れる小型の中空プラスチック容器にはこのような方法は適しているが、２つ以上の凸部（結合爪）を設けなくてはならない大きさや形状を有する中空プラスチック容器には適さない。
また、凸部に係合爪を設ける必要があるため、分割体を非プラスチック素材（例えば金属や木材）で製作するのは難しい。
従って、凸部に係合爪を設ける方法では、組立て式連結体の形状（デザイン）、大きさ、材質等に制約が生じてしまう。【０００７】
本発明は上記背景により、組立て式連結体の形状（デザイン）、大きさ、材質等に制約がなく、組立て式連結体を組み立てている複数の分割体の分離を抑制することが可能な組立て式連結体を提供することを目的とする。
【課題を解決するための手段】
【０００８】
請求項１に記載の組立て式連結体は、複数の分割体が互いに連結されることにより組み立てられる組立て式連結体において、
隣接する分割体のうち何れか一方に形成される凸部と、他方に形成され、前記凸部に嵌合する凹部とにより互いに分離自在に連結される複数の基本分割体と、
前記複数の基本分割体が連結されたときに形成される中空部に連結される中空部側分割体と、を備え、
前記中空部側分割体は、前記基本分割体が連結されたときに中空部側に形成される開口縁部に当接した状態で嵌合により連結されることを構成要件とする。【０００９】
複数の基本分割体が連結されたときに形成される中空部には開口縁部が１つ以上形成され、その開口縁部に対して中空部側分割体が連結されることで組立て式連結体が形成される。つまり開口縁部は、複数の基本分割体の一辺同士が分離自在に連結することで形成される。開口縁部を形成する複数の基本分割体の一辺は、直線、曲線もしくは直線と曲線の組合せから形成され、複数の基本分割体が連結されたときに形成される開口縁部は、例えば円形、楕円形、矩形等、任意である。また開口縁部が水平なのか傾斜しているのかは問わず、開口縁部に対して交差する方向から中空部側分割体が連結される。【００１０】
このように、中空部の開口縁部に交差する方向から中空部側分割体が連結されていれば、中空部を形成している複数の基本分割体が互いに分離する向きに力が加わっても、中空部を形成している複数の基本分割体の分離が抑制されることになる。【００１１】
また中空部の開口縁部からこの開口縁部に連結されている中空部側分割体を分離させる向きに力が加わる場合、中空部を形成している複数の基本分割体がごくわずかではあるが互いに分離する向きに動きだして中空部の開口縁部とこの開口縁部に連結されている中空部側分割体との連結部分（嵌合部分）の嵌合を強めるので、中空部の開口縁部に連結されている中間側分割体の分離が抑制される。【００１２】
また前記した中空部（複数の基本分割体）と中空部側分割体との連結により組立て式連結体が形成されるのであれば、複数の基本分割体及び中空部側分割体の材質は、合成樹脂のみに限定される必要はなくなり、合成樹脂以外の材質を用いることができる。【００１３】
具体的には、基本分割体及び中空部側分割体の材質は、合成樹脂（熱硬化性樹脂、汎用プラスチック、エンジニアリングプラスチック、スーパーエンジニアリングプラスチック、繊維強化プラスチック等の熱可塑性樹脂）、金属（ステンレス、真鍮、鉄、亜鉛、アルミ、チタン等）、貴金属（金、銀、銅、プラチナ等）、貴石（アクアマリン、ダイヤモンド、エメラルド、オパール、ルビー、サファイア、スピネル、トパーズ、真珠等。この場合天然か人工かは問わない）、木材等が用いられるが、他の材質を用いることもできる。
なお、合成樹脂は、ＰＶＣ、ウレタン樹脂、ＡＢＳ樹脂、ＦＲＰ等が用いられるのが好ましいがそれに限定されるものではない。【００１４】
中空部側分割体と開口縁部は、何れか一方に形成される凸部と、他方に形成され、前記の凸部に嵌合する凹部とにより互いに分離自在に連結されることで（請求項２）、中空部の開口縁部と中空部側分割体との連結部分（嵌合部分）の嵌合がより強くなり、中空部の開口縁部に連結されている中間側分割体の分離がさらに抑制される。また凸部とこれに嵌合する凹部が対応していれば、凸部（もしくは凹部）が開口縁部に沿って連続して形成される必要はない。【００１５】
また中空部側分割体は、開口縁部に連結された状態では中空部を閉塞する場合と（請求項３）、中空部を開放する場合（請求項４）とがある。
中空部側分割体が中空部を閉塞する場合は、例えば、商品を包装（収容）するための包装体（容器）、玩具の車等が形成され、中空部を開放する場合は、アクセサリー、筆記具の外装パーツ、携帯端末の外装パネル等のリング状部材が形成される。【００１６】
中空部を開放する場合、中空部側分割体は、折曲自在な継ぎ手部によって隣接する組立て式連結体の中空部側分割体に連結される場合がある（請求項５）。隣接する組立て式連結体が連結される場合、例えば人間、人型、動物等が着用するボディスーツが形成される。【００１７】
すなわち、組立て式連結体の形状（デザイン）、大きさ等の自由度が高まる。【００１８】
従って、本発明の組立て式連結体によれば、組立て式連結体の形状（デザイン）、大きさ、材質等に制約がなく、組立て式連結体を組み立てている複数の分割体の分離を抑制することが可能となる。
【発明の効果】
【００１９】
複数の基本分割体により形成された中空部の開口縁部に対して交差する方向から中空部側分割体が連結されることで組立て式連結体が組み立てられることとした。これにより、中空部を形成している複数の基本分割体が互いに分離する向きに力が加わっても、中空部を形成している複数の基本分割体の分離が抑制される。【００２０】
また中空部の開口縁部から中空部側分割体を分離させる向きに力が加わっても、中空部を形成している複数の基本分割体がごくわずかではあるが互いに分離する向きに動きだして中空部の開口縁部とこの開口縁部に連結されている中空部側分割体との連結部分（嵌合部分）の嵌合を強めるので、中空部の開口縁部に連結されている中間側分割体の分離が抑制される。【００２１】
従って、組立て式連結体の形状（デザイン）、大きさ、材質等に制約がなく、連結状態にある複数の分割体の分離を抑制することが可能となる。
また、分割した部品（分割体）の接合部に互換性を持たせることで、この発明の連結構造を使用して簡単にパーツの換装を可能にすることを目的にした製品としても良い。
さらには、それぞれの品物の連結部分（嵌合部分）のサイズを共通化することにより、異なった商品の外装パーツを別の商品に使用することもできる。例えば、指輪のパーツをペン（筆記具）の外装パーツにすることもできる。
【図面の簡単な説明】
【００２２】
【図１】（ａ）は本発明の組立て式連結体の第１実施形態の図、（ｂ）は図１（ａ）の分解図、（ｃ）は嵌合時に弾性力を発生する先端部を有する凸部の平面図、（ｄ）は嵌合時に摩擦力を発生するテーパーがつけられた凸部と凹部の平面図、（ｅ）は図１（ｄ）の凸部の一変形例の平面図である。
【図２】（ａ）は本発明の組立て式連結体の第２実施形態の図、（ｂ）は図２（ａ）の分解図である。
【図３】（ａ）は本発明の組立て式連結体の第３実施形態の図、（ｂ）は図３（ａ）の分解図である。
【図４】（ａ）は本発明の組立て式連結体の第４実施形態の図、（ｂ）は図４（ａ）の分解図、（ｃ）は図４（ｂ）の変形例の図である。
【図５】（ａ）は本発明の組立て式連結体の第５実施形態の図、（ｂ）は図５（ａ）の分解図である。
【図６】（ａ）は本発明の組立て式連結体の第６実施形態の図、（ｂ）は図６（ａ）の分解図である。
【図７】（ａ）は本発明の組立て式連結体の第７実施形態の図、（ｂ）は図７（ａ）の分解図である。
【図８】（ａ）は連結部分に互換性を持つ中空部側分割体同士が連結された状態の図、（ｂ）は図８（ａ）の分解図である。
【図９】（ａ）は図８（ａ）、（ｂ）に示した組立て式連結体の要部を説明するための図、（ｂ）は２つの分割体の凹凸部における連結状態を説明するための横断面図、（ｃ）は図８（ｂ）の平断面図、（ｄ）は係止部の一変形例の図、（ｅ）、（ｆ）は図９（ｄ）に示した係止部とこれに嵌合する突起部とを説明するための模式図である。
【図１０】（ａ）は本発明の組立て式連結体の第８実施形態の図、（ｂ）は図１０（ａ）の分解図である。
【図１１】（ａ）は本発明の組立て式連結体の第９実施形態の図、（ｂ）は図１１（ａ）の分解図である。
【図１２】（ａ）〜（ｈ）は互換性のある分割体の一例を示した図である。
【図１３】本発明の組立て式連結体の第１０実施形態の図である。
【図１４】（ａ）は本発明の組立て式連結体の第１１実施形態の図、（ｂ）は図１４（ａ）の分解図である。
【発明を実施するための形態】
【００２３】
以下、図面を用いて本発明を実施するための最良の形態を説明する。
【００２４】
図１（ａ）、（ｂ）は、複数の分割体が互いに連結されることにより組み立てられる組立て式連結体１０において、
隣接する分割体のうち何れか一方に形成される凸部ａと、他方に形成され、前記凸部ａに嵌合する凹部ｂとにより互いに分離自在に連結される複数の基本分割体１１、１２と、
前記複数の基本分割体１１、１２が連結されたときに形成される中空部３０に連結される中空部側分割体３１と、を備え、前記中空部側分割体３１は、前記基本分割体１１、１２が連結されたときに中空部３０側に形成される開口縁部３００に当接した状態で嵌合により連結される構成例を示す。
また、前記中空部側分割体３１は、開口縁部３００に連結された状態では中空部３０を閉塞する。なお、ここでは組立て式連結体１０は、商品を包装（収容）する包装体（容器）として説明する。
【００２５】
図１（ｂ）に示すように、基本分割体１１は、基本分割体１２と接する接合面１１１と、中空部側分割体３１の開口縁部３１０の一部と接する接合面３１１ａとを有している。接合面１１１と接合面３１１ａは互いに隣接し、かつ交差し（平行ではない）、その交差角度は任意とされる。接合面１１１には基本分割体１２と互いに分離自在に連結される凸部ａが設けられ、接合面３１１ａには中空部側分割体３１と互いに分離自在に連結される凸部１１ａ１が設けられる。
【００２６】
基本分割体１２は、基本分割体１１と接する接合面１２１と、中空部側分割体３１の開口縁部３１０の他部と接する接合面３１２ａとを有している。接合面１２１と接合面３１２ａは互いに隣接し、かつ交差し（平行ではない）、その交差角度は任意とされる。接合面１２１には基本分割体１１と互いに分離自在に連結される凹部ｂが設けられ、接合面３１２ａには中空部側分割体３１と互いに分離自在に連結される凸部１２ａ１が設けられる。
【００２７】
凸部ａと凹部ｂの嵌合により接合面１１１と接合面１２１が連結されると接合面３１１ａ、３１２ａが連なり、袋状の中空部３０の開口縁部３００が現れる（形成される）。つまり開口縁部３００は、連結状態にある基本分割体１１と基本分割体１２とが分離することで分離し、不連続となる。そしてこの開口縁部３００に対し交差する方向から中空部側分割体３１の開口縁部３１０が連結される。
【００２８】
なお、開口縁部３００、３１０の形状は、円形、楕円形等の曲線で示される場合の他に、矩形等の直線同士の組合せの場合、もしくは馬蹄形等の曲線と直線との組合せの場合もある。また接合面３１１ａと接合面３１２ａとの間に段差があっても無くてもよい。また基本分割体１１、１２が中空部３０の半割体であるか否かは問わない。
【００２９】
また凸部１１ａ１、１２ａ１の表面に、水平または垂直（もしくは両方）な溝部または突起部を形成する（ラインを入れる）こともできる。溝部もしくは突起部の形状、個数等、任意であり（図４（ｂ）中の凸部１１ａ１、凸部１２ａ１参照）、また曲線状にラインを入れることもできる。
【００３０】
中空部側分割体３１は、中空部３０の開口縁部３００と接する接合面３１０を有している。接合面３１０には開口縁部３００の凸部１１ａ１、１２ａ１と互いに分離自在に連結される凹部３１ｂが設けられる。この凹部３１ｂと凸部１１ａ１、凸部１２ａ１が嵌合することで基本分割体１１、１２同士が分離する向きへの移動が抑制される。なお、中空部側分割体３１が中空体か中実体かは任意である。
【００３１】
凸部ａと凹部ｂ（もしくは凸部１１ａ１、１２ａ１と凹部３１ｂ）の嵌合状態が維持される手段としては、弾性力、摩擦圧力によるもの等がある。
【００３２】
具体的には、図１（ｃ）に示すように、凸部ａの先端側が基部側よりも拡径され、かつ基部側（挿抜方向）に向かうスリットｓが先端部に設けられることで、凸部ａの先端側が凹部ｂに挿入されて変形した際に生じる弾性力（復元力）により互いの嵌合状態が維持されることがある。
【００３３】
また、凸部ａと凹部ｂの何れか一方もしくは両方に嵌合時に摩擦圧力を生じさせるテーパーがつけられることもある。例えば図１（ｄ）に示すように、底部が広く開口部に向かうに従って開口幅が狭くなるテーパーを凹部ｂに設け、先端部が広く基部側に向かうに従って突出幅が狭くなるテーパーを凸部ａに設けてもよい。また、図１（ｅ）に示すように、基端部と先端部との間の中間部が他の部位よりも拡径されるテーパーが凸部ａに設けられることもある。また、図示はしないが一部の凹凸部ａ、ｂの一方に係止爪が設けられ、他方に係止爪と係合する係合部が設けられてもよい。これらの手段は以下に説明する実施形態にも適用される。
【００３４】
従って、本実施形態の組立て式連結体１０は、図１（ａ）に示すように、中空部３０を形成している基本分割体１１、１２が互いに分離する向きに力ｆ１が加わっても、中空部３０を形成している基本分割体１１、１２の分離が抑制されることになる。
【００３５】
また中空部３０の開口縁部３００から中空部側分割体３１を分離させる向きに力ｆ２が加わると、中空部３０を形成している基本分割体１１、１２がごくわずかではあるが互いに分離する向きに動きだして、中空部３０の開口縁部３００と中空部側分割体３１との連結部分、すなわち凸部１１ａ１、１２ａ１と中空部側分割体３１の凹部３１ｂとの嵌合が強まる。従って、開口縁部３００からの中空部側分割体３１の分離が抑制される。
【００３６】
なお、中空部３０と中空部側分割体３１とを分離させるには、中空部３０を形成している基本分割体１１と基本分割体１２とが分離する方向に動くのを阻止した状態で中空部３０から中空部側分割体３１を離脱させればよい。
【００３７】
以上に説明した第１実施形態は、中空部３０は基本分割体１１、１２により袋状に形成されるがこれに限定されるものではなく、基本分割体同士が連結されたときに開口縁部が現れるのであれば、中空部３０の形状は任意である。例えば、図２〜７、１０〜１４に示す第２〜第１１実施形態の中空部３０は筒状である。中空部側分割体（開口縁部）の数は１つ以上としてもよい。
【００３８】
また基本分割体同士が連結されたときに開口縁部が現れ、かつ開口縁部以外に中空部３０の胴回りに連続した接合面を有しない（自重により分離しない）のであれば、中空部３０を２つ以上の基本分割体に分割してもよい（例えば図４、６、１０、１１、１４参照）。また以上に説明した組立て式連結体１０の形状（デザイン）は問わず、曲線、直線、直線と曲線の組合せ等で形成してもよい。
【００３９】
すなわち、図２（ａ）、（ｂ）、図３（ａ）、（ｂ）に示した第２、第３実施形態にあっては、２つの基本分割体１１、１２により２つの開口縁部３００、３０１を有する筒状の中空部３０が形成される。開口縁部３０１は開口縁部３００と同様、接合面１１１と接合面１２１が連結されたときに接合面３１１ｂ、３１２ｂが連なることで現れる。開口縁部３０１に対し交差する方向から中空部側分割体３２の接合面３２０が凸部１１ａ２、１２ａ２とこれに嵌合する凹部３２ｂとにより互いに分離自在に連結される。なお第１実施形態と同様な構成部材については同一の符号を付し、ここでの説明は省略する（以下、同様）。
【００４０】
また組立て式連結体１０内部に収容された商品を外部から見たり、操作するための開口部（図２（ａ）、（ｂ）、図６中にあっては符号ｃで示す）を基本分割体、中空部側分割体のいずれかもしくは両方に設けることもできる。開口部ｃの形状、数等は任意である。これにより、組立て式連結体１０をいちいち分割しなくても内部の商品を容易に確認したり、アクセスすることもできる。また開口部ｃに外部と内部とを仕切る仕切部材（透明、半透明問わず）を設けるのは任意である。
【００４１】
図４（ａ）〜（ｃ）に示した第４実施形態は、中空部３０が４つの基本分割体１１〜１４に分割される。この場合、基本分割体は、図４（ａ）、（ｂ）に示した基本分割体１３、１４のように、開口縁部３００、３０１となる接合面の何れか一方しか（もしくは両方）有していない場合（この場合３１３ａ、３１４ｂのこと）と、図４（ｃ）に示すように、基本分割体１１〜１４が何れも開口縁部３００（もしくは開口縁部３０１）となる接合面３１１ａ１〜３１４ａ１を有している場合とがある。後者の場合、接合面３１１ａ１〜３１４ａ１毎のなす角度を９０°としたが、この角度は任意であり、角度に応じて接合面３１１ａ１〜３１４ａ１の凸部１１ａ１〜１４ａ１の長さが変化する。
【００４２】
図５（ａ）、（ｂ）の第５実施形態は、中空部３０の開口縁部３００、３０１に対して中空部側分割体３１、３２が連結されることで外装パーツが組み立てられる玩具の車が示されている。従来の玩具の車は外装パーツが破損すると容易に廃棄される可能性があったが、本実施形態では外装パーツが容易に取り替えられるので廃棄されにくくなる。また、ユーザーが好みの外観（デザイン、色）に仕上げることもできる。
【００４３】
図６（ａ）、（ｂ）の第６実施形態は、１１個の基本分割体１１〜２０により筒状に形成される中空部３０に船底形の中空部側分割体３１、３２が連結されることで携帯電話、携帯情報記憶装置、計算機等の携帯端末Ｍの外装パネルが形成される。携帯端末Ｍの形状に応じて基本分割体の数を増減させることであらゆる携帯端末Ｍの外装パネルとして用いることができる。また、携帯端末Ｍに嵌合してぐらつきを防止する凹部が中空部側分割体３１、３２に設けられることもある。
【００４４】
なお、上述した組立て式連結体１０は、商品を収容する包装体（容器）、玩具、携帯端末Ｍの外装パネルに関するものであるが、日用品、遊戯品、収納ケース、カプセル、内部に物品を収容する外装パネル、室内装飾品、電気製品（例えば照明器具）、工業製品等の筐体として用いることができる。
【００４５】
また、以上に説明した第１〜第６実施形態は、中空部側分割体３１等が連結されることで中空部３０の開口縁部３００等が閉塞される例を示したが、中空部３０の開口縁部３００等（開口縁部が２つの場合は両側もしくは片側）が開放される場合もある。例えば第７〜第１１実施形態にあっては、筒状の中空部３０に中空部側分割体３１、３２が連結されることでリング状部材が形成されることが示されている。
【００４６】
すなわち図７（ａ）、（ｂ）の第７実施形態は、中空部３０の半割体とは異なった形状（デザイン）の基本分割体１１、１２にリング状の中空部側分割体３１、３２が連結されることで組立て式連結体１０がリング状部材（指輪）に形成される。基本分割体１１に傷をつけてしまった場合でも他の基本分割体に換えることで組立て式連結体１０（指輪）を継続して使用することができる。また、基本分割体１１を他のデザインの基本分割体に換えたり、各分割体の材質を変えることで組立て式連結体（指輪）のバリエーションを簡単に増やすことができる。
【００４７】
また、基本分割体１１、１２の凸部ａ、１１ａ１、１２ａ１、中空部側分割体３２の凸部３２ａの先端側に、角部を斜めにカットする面取り加工が施されていることで、指（身体や衣服等も含まれる）に引っ掛かりにくくすることもできる（図１１（ｂ）にも図示）。
【００４８】
また、基本分割体１１等及び中空部側分割体３１等にあっては、互いに分離自在に連結される連結部分（凸部もしくはこれに嵌合する凹部のこと）に互換性を持たせることで簡単に分割体を換装することを目的とした商品とすることと、連結部分のサイズが共通化されることで異なった商品の外装パーツを別の商品に使用することができる。
【００４９】
例えば図８（ａ）、（ｂ）に示すように、図７（ａ）、（ｂ）中の中空部側分割体３１と中空部側分割体３２が凹部３１ｂとこれに嵌合する凸部３２ａとにより互いに分離自在に連結されることもできる。また、図示はしないが、基本分割体１１、１２は凸部１１ａ１とこれに嵌合する凹部１２ｂ１とにより互いに分離自在に連結されることもある。これにより、リング状部材（指輪）の各パーツが組み換え自在となるので、デザインをユーザーの好みに合わせて容易に組み替えたり、各パーツの材質も容易に異ならせることができ、他の商品に対して差別化を図ることができる。
【００５０】
また、指輪が形成されるパーツを例えば筆記具（ペン）の外装パーツの一部として使用することもできる。具体的には、図７中の基本分割体１１、１２が凸部１１ａ１とこれに嵌合する凹部１２ｂ１とにより上下方向（接合面３１１ａの垂直方向）に交互に１つずつ計４個連結された連結体を、図１４（ａ）、（ｂ）に示された基本分割体１１、１４、１５、１８として用いてもよい。
【００５１】
この場合、図８（ｂ）、図９（ａ）〜（ｃ）に示すように、中空部側分割体３１の凹部３１ｂ内部に凹状の係止部３１ｂ１を設け、この係止部３１ｂ１に嵌合する凸状の突起部３２ａ１を中空部側分割体３２の凸部３２ａの内周側及び外周側の一方もしくは両方に設けることにより両者が抜け止め固定されることも可能である（図６、図１４（ｂ）にも図示。但し図中にあっては突起部ａ１として図示）。また、突起部３２ａ１と係止部３１ｂ１とが互いに分離自在に連結されるため凹部３１ｂと凸部３２ａとの間には所定の間隔（クリアランス）が設けられる。そして、そのクリアランス分が突起部３２ａ１の突出量に相当する。
【００５２】
また図９（ｄ）〜（ｆ）に示すように、中空部側分割体３１の凹部３１ｂの開口縁に開口し、凹部３１ｂの底部に向かって延設されたのち先端側が一側方に向かって折り曲げられたＬ字状の係止部（スリット）３１ｂ２を設け、この係止部３１ｂ２の開口部入口から底部に向かって挿入されたのち中空部側分割体３２が所定角度（例えば９°前後）捩られる（回動される）ことで係止部３１ｂ２の奥深部と嵌合する突起部３２ａ２を中空部側分割体３２の凸部３２ａに設けることも可能である。なお、図９（ｄ）には係止部３１ｂ２は凹部３１ｂの外周側に設けられているが内周側もしくは両側に設けられてもよい。
【００５３】
図１０（ａ）、（ｂ）の第８実施形態は、３つの基本分割体１１〜１３によりリング状に形成された中空部３０に、Ｃ字状の中空部側分割体３１、３２が連結されることで組立て式連結体１０がリング状部材（イヤリング、ピアス）に形成される。基本分割体１１、１３は、基本分割体１１から基本分割体１３に向かって延びた丸棒状の凸部ａとこれに嵌合する基本分割体１３の凹部ｂによって連結される。丸棒状の凸部ａの太さ、長さは問わず、またこの凸部ａを省略する（取り外す）ことができる。
【００５４】
この凸部ａが省略されることでリング状部材はイヤーカフ、カチューシャ（ヘアバンド）等のＣ字状部材としても使用することができる。これによりデザインの自由度がより広くなるうえに、多様化するユーザーの好みに迅速に対応することができる。
なおリング状部材をピアスとして使用する場合、生体適合性に優れた材質、例えば人体用ステンレス鋼、チタン等が用いられるのが好ましい。
【００５５】
図１１（ａ）、（ｂ）の第９実施形態は、４つの基本分割体１１〜１４によりリング状に形成される中空部３０にリング状の中空部側分割体３１、３２が連結されることでリング状部材（首輪）が形成される。首周りへの装着を容易にするために、中空部側分割体３１、３２の長さ方向中間部にヒンジ部３１ｃ、３２ｃが設けられる。ヒンジ部３１ｃ、３２ｃにより中空部側分割体３１、３２の長さ方向両端部が水平方向に接離自在とされるので、中空部側分割体３１、３２はその長さ方向両端部が水平方向に離間させられた状態で首周りに配されたのち、その長さ方向両端部が連結されることでリング状となる。リング状となった中間部側分割体３１、３２に対し基本分割体１１〜１４が連結されることで首輪が形成される。
【００５６】
なお前記した分割体の換装を行うにあたり、図１２（ａ）〜（ｃ）に示した中空部側分割体３１が中空部３０の開口縁部３００もしくは３０１に連結されることも可能である。
また図１２（ｄ）〜（ｈ）に示した基本分割体１１を用いて中空部３０を形成することも可能である。図１２（ｄ）〜（ｈ）に示した基本分割体１１は例えば図１０（もしくは図１１）に示した基本分割体１１〜１３（１１〜１４）と互換性を有することができる。また、いずれか４つの基本分割体が連結されることで３６０°（リング状部材）となるように設定されている。１つの基本分割体の両端部のなす角度は９０°とされているがこの角度は任意であり、例えば、１０°、１５°、３０°、４５°、６０°とすることが可能である。
【００５７】
図１３の第１０実施形態は、隣接する組立て式連結体１０同士が折曲自在な継ぎ手部ｊ（例えば蛇腹部材）によって連結されることで映画演劇で使用されるコスチュームや特殊作業（例えば消火作業や災害被災地）で使用されるボディスーツＢが組み立てられる。継ぎ手部ｊは肘や肩等の関節部分に配される。この場合、ボディスーツＢは人間、人型ロボット、可動式の関節部を備えたアクションフィギュア、人型の模型（空想上の人型異星人や生き物も含まれる）、動物等が着用するものであるがこれに限定されるものではなく、産業用、動物型、昆虫型等のロボットの外部骨格として用いられる場合もある。また継ぎ手部ｊにより連結された組立て式連結体１０を、折曲自在な長尺物（例えば電線ケーブル）を保護する保護ケースとして用いてもよい。
【００５８】
また隣接する組立て式連結体１０同士が折曲自在な継ぎ手部ｊによって連結されるのではなく、互いの組立て式連結体１０を固定する継ぎ手部、もしくは長さ方向に対して伸縮自在な継ぎ手部によって連結される場合もある。
【００５９】
図１４（ａ）、（ｂ）の第１１実施形態は、９つの基本分割体１１〜１９によりリング状に形成される中空部３０にリング状の中空部側分割体３１、３２が連結されることで筆記具の外装パネルが形成される。この場合、基本分割体１１〜１９は、隣接する基本分割体同士が連結されたときに現れる開口縁部３００、３０１以外に、中空部３０の胴回りに連続した接合面がないように形成されている。
【００６０】
以上に説明した組立て式連結体１０は、指輪、イヤリング、ピアス、首輪、ボディスーツＢ、筆記具の外装パネルであるが、これらに限定されるものではなく、腕輪、足輪等の身体装飾リングや、ナプキンリング、キーホルダ等の家庭用品や身の回り品、さらには電気製品や建築物（工業製品）の装飾品やそれら内部パーツとして用いることができる。また身体装飾リングとして用いられる場合、指輪及び腕輪は時計付きか否かは問わない。また人間用のみならずペット用、動物用にも適用することができる。
【００６１】
以上述べたように、本発明の組立て式連結体１０にあっては組立て式連結体１０の形状（デザイン）、大きさ、材質等に制約されることがなく、連結状態にある基本分割体及び中空部側分割体の分離を抑制することが可能となる。
【符号の説明】
【００６２】
１０……組立て式連結体
１１〜２０……基本分割体、ａ……凸部、ｂ……凹部、１１ａ１〜１４ａ１……凸部、
３０……中空部、３１、３２……中空部側分割体、３１ｂ、３２ｂ……凹部、３００、３０１……開口縁部、３１０、３２０……接合面
ｆ１……中空部を分離させる方向に働く力、ｆ２……ｆ１と交差する方向に働く力、ａ１……突起部、ｂ１……係止部、Ｂ……ボディスーツ、Ｍ……情報端末
【図１】
2010073764.tif 000003
【図２】
2010073764.tif 000004
【図３】
2010073764.tif 000005
【図４】
2010073764.tif 000006
【図５】
2010073764.tif 000007
【図６】
2010073764.tif 000008
【図７】
2010073764.tif 000009
【図８】
2010073764.tif 000010
【図９】
2010073764.tif 000011
【図１０】
2010073764.tif 000012
【図１１】
2010073764.tif 000013
【図１２】
2010073764.tif 000014
【図１３】
2010073764.tif 000015
【図１４】
2010073764.tif 000016
【国際調査報告】
2010073764.tif 000017
2010073764.tif 000018